【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
少なくとも遊技者から視認可能である第一位置とこの第一位置とは異なる遊技者から視認可能である第二位置との間を移動可能である第一演出体と、
遊技者から視認可能な状態にあり、前記第一位置に位置する前記第一演出体と組み合わされた所定の演出形態を構築する第二演出体と、
遊技領域に沿って設けられた所定の模様を発現することが可能な透過型装飾パネルと、
を備え、
前記第二演出体の少なくとも一部は、前記透過型装飾パネルにおける前記所定の模様が発現される箇所の後方に位置し、
前記透過型装飾パネルは、前記第一演出体が前記第一位置に位置するとき前記所定の模様が発現されない状態とされ、前記第一演出体が前記第二位置に位置するとき前記所定の模様が発現された状態とされることを特徴とする遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、少なくとも遊技者から視認可能である第一位置とこの第一位置とは異なる遊技者から視認可能である第二位置との間を移動可能である第一演出体と、遊技者から視認可能な状態にあり、前記第一位置に位置する前記第一演出体と組み合わされた所定の演出形態を構築する第二演出体と、遊技領域に沿って設けられた所定の模様を発現することが可能な透過型装飾パネルと、を備え、前記第二演出体の少なくとも一部は、前記透過型装飾パネルにおける前記所定の模様が発現される箇所の後方に位置し、前記透過型装飾パネルは、前記第一演出体が前記第一位置に位置するとき前記所定の模様が発現されない状態とされ、前記第一演出体が前記第二位置に位置するとき前記所定の模様が発現された状態とされることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
第二演出体の前側に模様を発現することができる透過型装飾パネルを設け、模様の有無によって、第二演出体の見やすさを変化させることが可能である。つまり、装飾性を高めるための透過型装飾パネルを、第二演出体の見やすさを変化させる部材として寄与させることが可能である。
【手続補正１３】
【補正対象書類名】明細書
【補正対象項目名】００１７
【補正方法】削除
【補正の内容】
【手続補正１４】
【補正対象書類名】明細書
【補正対象項目名】００７４
【補正方法】変更
【補正の内容】
【００７４】
また、上記実施形態では、三つの演出体を設けているが、四つ以上の演出体が設けられ、これらの組み合わせで多様な演出態様が構築可能なものであってもよい。また、第二演出体３を移動可能な構成とし、第一演出態様以外の演出態様を構築可能なものとしてもよい。また、三つの演出体すべてが組み合わさって別の演出態様を構築可能なものとしてもよい。
以下、上記実施形態から得られる具体的手段（遊技機）の例を記載する。
手段１；少なくとも遊技者から視認可能である第一位置とこの第一位置とは異なる遊技者から視認可能である第二位置との間を移動可能である第一演出体と、所定位置に位置し遊技者から視認可能な第二演出体と、遊技者から視認可能である所定位置に位置することが可能な第三演出体と、を備え、前記第一演出体が移動することにより、前記第一位置に位置する前記第一演出体と前記所定位置に位置する前記第二演出体が組み合わされてなる第一演出態様が構築され、前記第二位置に位置する前記第一演出体と前記所定位置に位置する前記第三演出体が組み合わされてなる第二演出態様が構築されることを特徴とする遊技機。
手段２；手段１に記載の遊技機において、第一演出態様と第二演出態様は異なる文字または形状を構築するものであることを特徴とする。
手段３；手段１または手段２に記載の遊技機において、前記第一演出体は、前記第一位置および前記第二位置の一方から他方に移動する際に第一形態から第二形態に変形するように構成され、前記第一形態にある前記第一演出体と前記第二演出体によって前記第一演出態様が構築され、前記第二形態にある前記第一演出体と前記第三演出体によって前記第二演出態様が構築されることを特徴とする。
手段４；手段１から手段３のいずれかに記載の遊技機において、前記第一演出態様が構築されているときには前記第二演出態様が構築されているときよりも前記第三演出体が見えにくくなり、前記第二演出態様が構築されているときには前記第一演出態様が構築されているときよりも前記第二演出体が見えにくくなる構成であることを特徴とする。
手段５；手段４に記載の遊技機において、前記第二演出体の前側には、所定の模様を発現することが可能なパネルであって、当該模様が発現されていない箇所が、当該模様が発現されている箇所よりも透過性が高くなる透過型装飾パネルが設けられ、前記第一演出態様が構築されているときには、前記透過型装飾パネルを前記所定の模様が発現されていない状態とし、前記第二演出体を相対的に見やすい状態とする一方、前記第二演出態様が構築されているときには、前記透過型装飾パネルを前記所定の模様が発現されている状態とし、前記第二演出体を相対的に見えにくい状態とすることを特徴とする。
手段６；手段３に記載の遊技機において、前記第一演出体、前記第二演出体、および前記第三演出体は、一または複数の文字からなる文字列を構築するものであり、前記第一演出体は、前記第一形態にあるときに構築する文字列と、前記第二形態にあるときに構築する文字列とが異なり、前記第一形態にある前記第一演出体が構築する文字列と前記第二演出体が構築する文字列が組み合わされることによって、前記第一演出態様である第一複合文字列が構築され、前記第二形態にある前記第一演出体が構築する文字列と前記第三演出体が構築する文字列が組み合わされることによって、前記第二演出態様である第二複合文字列が構築されることを特徴とする。
手段１にかかる遊技機では、第一位置に位置する第一演出体が視認可能な状態にある第二演出体に組み合わされて第一演出態様が、第二位置に位置する第一演出体が第三演出体に組み合わされて第二演出態様が構築されるものである。つまり、第一演出体が移動するものであることを利用し、この第一演出体を複数の演出体のそれぞれと組み合わせることにより、複数の演出態様が構築されるものであるから、演出の趣向性を向上させることが可能となる。特に、視認可能な状態にあり、単独で（第一演出体に組み合わされていないときにおいても）演出効果を発現する第二演出体を、第一演出体に組み合わせることによって、別の演出効果を発現するものとして利用した点で優れるものである。
手段２にかかる遊技機のように、第一演出態様と第二演出態様を全く異なる態様とすることができ、演出の趣向性を高めることが可能である。
手段３にかかる遊技機のように、第一演出体が移動することによってその形態が変化するようにすることで、第一演出態様と第二演出態様の違いを大きくすることができ、演出の趣向性をさらに高めることが可能である。
手段４にかかる遊技機のように、第二演出体および第三演出体のうち、演出態様の構築に寄与しない一方の演出体を見えにくくすることにより、他方の演出体と第一演出体によって構築される演出態様を目立たせることが可能になる。
手段５にかかる遊技機のように、第二演出体の前側に模様を発現することができる透過型装飾パネルを設け、模様の有無によって、第二演出体の見やすさを変化させることが可能である。つまり、装飾性を高めるための透過型装飾パネルを、第二演出体の見やすさを変化させる部材として寄与させることが可能である。
手段６にかかる遊技機のように、各演出体が文字列を構築するものとし、第一演出体と第二演出体、または第一演出体と第三演出体が組み合わされて、複合文字列が構築される演出態様とすることも可能である。